(57)【要約】
【課題】製造時の組立て作業が容易かつ安全で、美観的にも優れ、実用的効果の高い髪挟みを提供することを課題とする。
【解決手段】一対の連結板（１２，２２）を介して枢軸（４）により開閉自在に連結された一対の挟子（１，２）が、それぞれその両端に櫛歯状の契合部（１１，２１）を有し、当該契合部が、上記枢軸を中心とする円筒面と略同じ曲率で湾曲せしめられ、枢軸部に設けたスプリング（３）により両挟子の契合部が閉じる方向へ付勢され、両挟子の契合部とは反対側の押圧部（１６，２６）を掴み押すことにより契合部が開くと共に、両挟子の契合部が閉じたときは、一方の挟子の契合部（１１）の櫛歯が他方の挟子の契合部（１２）の櫛歯と互いに噛み合うように構成されたことを特徴とする。
【選択図】図１
0003100496.tif 000002
【実用新案登録請求の範囲】
【請求項１】
　一対の連結板（１２，２２）を介して枢軸（４）により開閉自在に連結された一対の挟子（１，２）が、それぞれその両端に櫛歯状の契合部（１１，２１）を有し、当該契合部が、上記枢軸を中心とする円筒面と略同じ曲率で湾曲せしめられ、枢軸部に設けたスプリング（３）により両挟子の契合部が閉じる方向へ付勢され、両挟子の契合部とは反対側の押圧部（１６，２６）を掴み押すことにより契合部が開くと共に、両挟子の契合部が閉じたときは、一方の挟子の契合部（１１）の櫛歯が他方の挟子の契合部（１２）の櫛歯と互いに噛み合うように構成されたことを特徴とする髪挟み。
【考案の詳細な説明】
【技術分野】
【０００１】
　本考案は、髪挟みの改良に関し、特に、従来の上下押片式の髪挟みに比べて、組立て、製造が容易かつ安全で美観的にも優れた髪挟みに関するものである。
【背景技術】
【０００２】
　髪挟みは、室内に居る時は勿論、戸外での活動時においても、頭髪を束ねて固定するために広く利用されている。
　しかしながら、髪挟みの製造、組立て作業は面倒であったり、危険を伴うこともあり、また、髪挟みはその美観を重視しなければならないという制約もあるため、改善すべき点が多々存在する。
【０００３】
　従来公知の髪挟みは、図７及び図８に示す如く、上側及び下側挟体９及び８と、枢軸７と、スプリング６とを主要な構成要素としている。上側及び下側挟体９及び８の一端には、それぞれ上側及び下側押片９１及び８１が形成され、当該上側及び下側押片９１及び８１の互いに対向する面上には、それぞれ一対の上側及び下側軸保持片９２及び８２が形成されている。これらの一対の上側及び下側軸保持片９２及び８２には、図８に示す如く、軸孔９３及び８３がそれぞれ明けられている。組立て時には、図８に示すように、作業員が２本の工具棒６００の先端にスプリング６の両端部６０を差し込んで、スプリング６を上記一対の軸保持片９２間に挿入し、上側軸保持片９２を下側軸保持片８２の間に嵌め入れた状態で、枢軸７を軸孔９３及び８３とスプリング６に挿通することにより、従来の髪挟みは組み立てられるようになっている。
【０００４】
　しかしながら、このような従来公知の髪挟みは、その組立て作業や美観の面で下記の欠点を有している。
　１．工具棒６００を用いてスプリング６を曲げる過程で、バランスを失うとスプリングが工具棒からはずれて強い力で飛び出し、眼その他人体に当たって負傷する危険がある。
　２．片手ではスプリング６を差し込んだ２本の工具棒６００を持ち、もう片方の手では、上側及び下側軸保持片９２及び８２を揃えた状態にして枢軸７を挿通する作業を行う必要があり、それらの部品が崩れないように慎重に行わなければならないので、相当の時間と、手間と集中力を必要とする。
　３．枢軸７を上側及び下側軸保持片９２及び８２の軸孔９３及び８３とスプリング６に挿通した後は、スプリング６の全体が上側及び下側押片９１及び８１の間で露出した状態となるので、美麗な上側及び下側挟体９及び８との調和を欠き、装飾効果が損なわれるという欠点がある。
　４．上側及び下側押片９１及び８１の間のスプリング６は、使用中も外気中に露出しているので、埃や垢等で汚れやすく、不潔でもある。
　５．上側及び下側押片９１及び８１が突出しているので、優雅さを欠き、包装も嵩ばるという問題もある。
【考案の開示】
【考案が解決しようとする課題】
【０００５】
　本考案は、上記の如き従来公知の髪挟みの欠点を解決するためなされたものであり、その目的とするところは、製造時の組立て作業が容易かつ安全で、美観的にも優れ、実用的効果の高い髪挟みを提供することにある。
【課題を解決するための手段】
【０００６】
　上記の問題点を解決するため、本考案に係る髪挟みは; 
　一対の連結板を介して枢軸により開閉自在に連結された一対の挟子が、それぞれその両端に櫛歯状の契合部を有し、当該契合部が、上記枢軸を中心とする円筒面と略同じ曲率で湾曲せしめられ、枢軸部に設けたスプリングにより両挟子の契合部が閉じる方向へ付勢され、両挟子の契合部とは反対側の押圧部を掴み押すことにより契合部が開くと共に、両挟子の契合部が閉じたときは、一方の挟子の契合部の櫛歯が他方の挟子の契合部の櫛歯と互いに噛み合うように構成されたことを特徴とする。
【考案の効果】
【０００７】
　上記の如き構成であると、スプリングの取付け作業が容易で安全であり、取り付けられたスプリングは連結板内に隠れて見えないため、美観的にも優れた髪挟みを提供し得るものである。
【考案を実施するための最良の形態】
【０００８】
　以下、図面を参照しつゝ本考案を実施するための最良の形態について具体的に説明する。
【０００９】
　図１は、本考案に係る髪挟みの一実施例の分解斜視図、
　図２は、図１に示す髪挟みを組み立て、完成した状態を示す斜視図、
　図３は、図２に示す髪挟みを使用する際に指で持った状態を示す説明図、
　図４は、本考案に係る髪挟みが閉じているときの状態を示す側面図、
　図５は、本考案に係る髪挟みが開いているときの状態を示す側面図、
　図６は、本考案に係る髪挟みのもう一つの実施例を示す斜視図である。
【００１０】
　　図１及び図２に示す如く、本考案に係る髪挟みは、左側及び右側挟子１，２と、スプリング３と、枢軸４と、から構成されている。半円弧状の左側挟子１の両端には櫛歯状の契合部１１が形成されると共に、中間部分は凹部となっており、その頂部近くには左側連結板１２が固着され、当該左側連結板１２には凹溝１４と穿孔１３を有する枢軸カバー片１５が形成されている。上記凹溝１４内に収容されるスプリング３は、両端部３１，３２を有すると共に、その内部に通口３３を有している。半円弧状の右側挟子２の両端には櫛歯状の契合部２１が形成され、当該櫛歯状契合部２１は前記左側挟子１の櫛歯状契合部１１と互いに噛み合わせられるようになっている。左右の挟子１及び２は、それらの両端間に中間空部５を形成する。右側挟子２の頂部近くには前記左側連結板１２と対向するよう右側連結板２２が固着され、当該右側連結板２２上には一対の軸保持片２３が形成され、これらの軸保持片２３にはそれぞれ軸孔２４が明けられ、スプリング３の通口３３内に挿通した枢軸４の両端を、上記軸孔２４に差し込むことにより、上記左右の挟子１及び２が開閉自在に連結されるようになっている。互いに噛み合った左右の挟子の櫛歯状契合部１１と２１との中間には、中間空部５が形成され、当該中間空部５の上側には、前記の如く左右の連結板１２及び２２が設けられると共に、押圧部１６及び２６が形成され、図３に示すように押圧部１６及び２６を押さえてつまむことにより、挟子１及び２が開くようになっている。このように構成することによって、従来公知の髪挟みの欠点を解消できる。
【実施例】
【００１１】
　上記髪挟みを組み立てる際は、スプリング３の両端部３１，３２のうちの一方の端部３１を、凹溝１４の透孔１３の開口位置に合わせて嵌め込み、スプリング３全体を左側連結板１２の透孔１３内に完全に収容する。然る後、スプリング３のもう一方の端部３２をスプリング３の軸を中心に捩じってスプリング３に弾性力を付与した状態で、当該端部３２を右側挟子２の一方の軸保持片２３の付け根位置に当てがい、枢軸カバー片１５全体を、右側挟子２の二つの軸保持片２３の間に嵌め入れる。次いで、枢軸４を、一方の軸保持片２３の軸孔２４からスプリング３の通口３３を通じてもう一方の軸保持片２３の軸孔２４まで挿通し、固定する。以上の簡便な組立て作業により、左右一対の挟子１及び２が枢軸を中心に回動可能なように組み立てられ、安全で、外観上も美しい、実用的効果の高い髪挟みが得られるものである。
【００１２】
　図３ないし図６に示すように、スプリング３の両端部３１及び３２が、左側及び右側連結板１２及び２２にそれぞれ作用して、押圧部１６及び２６が互いに離隔する方向（両挟子１及び２の契合部１１及び１２が閉じる方向）の復元力を付与する。そのため、使用者が押圧部１６及び２６を押して左右の挟子１及び２を枢軸４を中心に回動させて契合部１１及び２１側を開き、それらの間に毛髪が挿入されるようにする。然る後、押圧部１６及び２６を押す力を次第に弱め、これらから指を離すと、スプリング３の復元力によって、その両端部３１及び３２が左右の挟子１及び２を元の状態に復帰させるよう枢軸４を中心に回動させ、これにより、挟子１及び２の間に毛髪が挟持された状態になる。
【産業上の利用可能性】
【００１３】
　本考案は、上記の如く構成されるから、本考案によるときは、従来公知の髪挟みに比べて、組立てが容易で、安全性に優れ、美観的にも優れた、産業上有益な髪挟みを提供し得るものである。
【図面の簡単な説明】
【００１４】
【図１】本考案に係る髪挟みの一実施例の分解斜視図である。
【図２】図１に示す髪挟みを組み立て、完成した状態を示す斜視図である。
【図３】図２に示す髪挟みを使用する際に指で持った状態を示す説明図である。
【図４】本考案に係る髪挟みが閉じているときの状態を示す側面図である。
【図５】本考案に係る髪挟みが開いているときの状態を示す側面図である。
【図６】本考案に係る髪挟みのもう一つの実施例を示す斜視図である。
【図７】従来公知の髪挟みの一例を示す斜視図である。
【図８】図７に示す従来公知の髪挟みの組立て過程を示す説明図である。
【符号の説明】
【００１５】
　１　　左側挟子
　１１　櫛歯状契合部
　１２　左側連結板
　１３　透孔
　１４　凹溝
　１５　枢軸カバー片
　１６　押圧部
　２　　右側挟子
　２１　櫛歯状契合部
　２２　右側連結板
　２３　軸保持片
　２４　軸孔
　２６　押圧部
　３　　スプリング
　３１　端部
　３２　端部
　３３　通口
　４　　枢軸
　５　　中間空部
　６　　スプリング
　６０　端部
　６00  工具棒
　７　　枢軸
　８　　下側挟体
　８１　下側押片
　８２　下側軸保持片
　８３　軸孔
　９　　上側挟体
　９１　上側押片
　９２　上側軸保持片
　９３　軸孔
【図１】
0003100496.tif 000003
【図２】
0003100496.tif 000004
【図３】
0003100496.tif 000005
【図４】
0003100496.tif 000006
【図５】
0003100496.tif 000007
【図６】
0003100496.tif 000008
【図７】
0003100496.tif 000009
【図８】
0003100496.tif 000010